(57)【要約】【課題】高周波領域における線路特性を十分に再現できる擬似線路回路を提供する。【解決手段】擬似線路回路１０は、抵抗減衰器２０と、抵抗減衰器２０の入出力端子Ｔ１に接続されるローパスフィルタ３０とを備える。ローパスフィルタ３０は、キャパシタＣ１とインダクタンスＬ１とから成り、キャパシタＣ１に対して直列に抵抗素子Ｒ３２が接続され、インダクタンスＬ１に対して並列に抵抗素子Ｒ３１が接続される。【選択図】図１
2008136158.tif 000002
【特許請求の範囲】
【請求項１】
抵抗減衰器と、
前記抵抗減衰器の入出力端子に接続される、第一のキャパシタと第一のインダクタンスとから成るローパスフィルタと、
前記第一のキャパシタに対して直列に接続される第一の抵抗素子と、
前記第一のインダクタンスに対して並列に接続される第二の抵抗素子と、
を備える擬似線路回路。
【請求項２】
請求項１に記載の擬似線路回路であって、
グランド電極と前記抵抗減衰器の共通端子との間に接続される第二のインダクタンスを更に備える、擬似線路回路。
【請求項３】
請求項１又は請求項２に記載の擬似線路回路であって、
グランド電極と前記抵抗減衰器の共通端子との間に接続される第二のキャパシタを更に備える、擬似線路回路。
【請求項４】
請求項１乃至請求項３のうち何れか１項に記載の擬似線路回路であって、
前記第一のキャパシタと前記第一の抵抗素子は、並列接続されて成る複数のＣＲ直列回路から成り、前記複数のＣＲ直列回路のそれぞれは、異なるグランド電極に接続されている、擬似線路回路。
【請求項５】
π型抵抗減衰器と、
前記π型抵抗減衰器の第一の入出力端子に接続される、第一のキャパシタと第一のインダクタンスとから成る第一のローパスフィルタと、
前記π型抵抗減衰器の第二の入出力端子に接続される、第二のキャパシタと第二のインダクタンスとから成る第二のローパスフィルタと、
前記第一のキャパシタに対して直列に接続される第一の抵抗素子と、
前記第二のキャパシタに対して直列に接続される第二の抵抗素子と、
前記第一のインダクタンスに対して並列に接続される第三の抵抗素子と、
前記第二のインダクタンスに対して並列に接続される第四の抵抗素子と、
グランド電極と前記π型抵抗減衰器の共通端子との間に接続される第三のインダクタンスと、を備え、
前記第一のキャパシタと前記第一の抵抗素子は、並列接続されて成る第一及び第二のＣＲ直列回路から成り、前記第一及び前記第二のＣＲ直列回路は、それぞれ異なるグランド電極に接続されており、
前記第二のキャパシタと前記第二の抵抗素子は、並列接続されて成る第三及び第四のＣＲ直列回路から成り、前記第三及び前記第四のＣＲ直列回路は、それぞれ異なるグランド電極に接続されている、擬似線路回路。
【請求項６】
π型抵抗減衰器と、
前記π型抵抗減衰器の第一の入出力端子に接続される、第一のキャパシタと第一のインダクタンスとから成る第一のローパスフィルタと、
前記π型抵抗減衰器の第二の入出力端子に接続される、第二のキャパシタと第二のインダクタンスとから成る第二のローパスフィルタと、
前記第一のキャパシタに対して直列に接続される第一の抵抗素子と、
前記第二のキャパシタに対して直列に接続される第二の抵抗素子と、
前記第一のインダクタンスに対して並列に接続される第三の抵抗素子と、
前記第二のインダクタンスに対して並列に接続される第四の抵抗素子と、
グランド電極と前記π型抵抗減衰器の共通端子との間に接続される第三のキャパシタと、を備え、
前記第一のキャパシタと前記第一の抵抗素子は、並列接続されて成る第一及び第二のＣＲ直列回路から成り、前記第一及び前記第二のＣＲ直列回路は、それぞれ異なるグランド電極に接続されており、
前記第二のキャパシタと前記第二の抵抗素子は、並列接続されて成る第三及び第四のＣＲ直列回路から成り、前記第三及び前記第四のＣＲ直列回路は、それぞれ異なるグランド電極に接続されている、擬似線路回路。
【請求項７】
請求項６に記載の擬似線路回路であって、
前記グランド電極と前記π型抵抗減衰器の共通端子との間に接続される第三のインダクタンスを更に備え、
前記第三のキャパシタと前記第三のインダクタンスとは直列接続されている、擬似線路回路。
【発明の詳細な説明】
【技術分野】
【０００１】
本発明は高周波領域における線路特性を十分に再現するための擬似線路回路に関する。
【背景技術】
【０００２】
ＴＶ機器と録画機器間で画像を伝送する際には、一般的にケーブルが用いられている。ＴＶ機器と録画機器は、複数の異なる機器メーカーが製造しており、市場において同一機器メーカーの機器が接続されるとは限らない。また接続時に使用されるケーブルの品質も異なることがある。そのため市場において、機器の接続が確実に行えるようにするためには、事前に接続性を試験する必要がある。
【０００３】
しかしながら、ケーブル特性はバラツキが大きく、安定した試験ができないという問題がある。またケーブルには、導体損失などの損失があり、周波数特性も持つため、特性の再現性が難しいという問題もある。
【０００４】
そのため接続性試験を行う場合には、擬似線路回路を用いて試験を行うことが一般的である。従来の擬似線路回路としては、例えば実開昭６２−１８１０４８号公報に開示されるように、キャパシタやインダクタンス等からなる集中定数回路からなるものが知られている。
【特許文献１】実開昭６２−１８１０４８号公報
【発明の開示】
【発明が解決しようとする課題】
【０００５】
ところで、集中定数回路により擬似線路回路を設計する場合、例えば、アッテネータの入出力端子にキャパシタとインダクタンスとから成るローパスフィルタを接続することによって擬似線路回路を構成することが考えられる。かかる構成によれば、ローパスフィルタの次数によって減衰傾度や減衰量を調整できるので、目的とする線路特性を的確に再現できる。
【０００６】
しかし、高周波領域においては、寄生キャパシタや寄生インダクタンスなどの寄生素子の存在が無視できなくなる。それ故、寄生素子による共振現象により、線路特性の帯域内に減衰極が形成されてしまい、目的とする線路特性を十分に再現できないという不都合が生じる。
【０００７】
そこで、本発明は高周波領域における線路特性を十分に再現できる擬似線路回路を提供することを課題とする。
【課題を解決するための手段】
【０００８】
上記の課題を解決するため、本発明に係わる擬似線路回路は、抵抗減衰器と、抵抗減衰器の入出力端子に接続される第一のキャパシタと第一のインダクタンスとから成るローパスフィルタと、第一のキャパシタに対して直列に接続される第一の抵抗素子と、第一のインダクタンスに対して並列に接続される第二の抵抗素子と、を備える。
【０００９】
ローパスフィルタの抵抗成分を増加させると、クオリティファクターは小さくなり、寄生素子の自己共振をダンピングできるので、寄生素子の共振周波数付近の減衰変動を緩和し、高周波領域における擬似線路回路の周波数特性を改善できる。
【００１０】
擬似線路回路は、グランド電極と抵抗減衰器の共通端子との間に接続される第二のインダクタンスを更に備えるものが好ましい。
【００１１】
かかる構成によれば、擬似線路回路の遮断特性を鋭くし、遮断周波数から切れ良く信号減衰が始まるように周波数特性を改善できる。
【００１２】
グランド電極と抵抗減衰器の共通端子との間に接続される第二のキャパシタを更に備えるものが好ましい。
【００１３】
かかる構成によれば、抵抗減衰器の共通端子とグランド電極ＧＮＤとの間に流れる直流電流をカットすることができる。
【００１４】
第一のキャパシタと第一の抵抗素子は、並列接続されて成る複数のＣＲ直列回路から成り、且つ複数のＣＲ直列回路のそれぞれは、異なるグランド電極に接続されているものが好適である。
【００１５】
かかる構成によれば、寄生素子を分散することによって、寄生素子のリアクタンス成分を小さくできる。すると、寄生素子の共振周波数は、高周波側にシフトするので、目標とする帯域内における擬似線路回路の減衰特性の劣化を低減することができる。
【００１６】
本発明の他の側面に係わる擬似線路回路は、π型抵抗減衰器と、π型抵抗減衰器の第一の入出力端子に接続される第一のキャパシタと第一のインダクタンスとから成る第一のローパスフィルタと、π型抵抗減衰器の第二の入出力端子に接続される第二のキャパシタと第二のインダクタンスとから成る第二のローパスフィルタと、第一のキャパシタに対して直列に接続される第一の抵抗素子と、第二のキャパシタに対して直列に接続される第二の抵抗素子と、第一のインダクタンスに対して並列に接続される第三の抵抗素子と、第二のインダクタンスに対して並列に接続される第四の抵抗素子と、グランド電極とπ型抵抗減衰器の共通端子との間に接続される第三のインダクタンスと、を備える。ここで、第一のキャパシタと第一の抵抗素子は、並列接続されて成る第一及び第二のＣＲ直列回路から成り、第一及び第二のＣＲ直列回路は、それぞれ異なるグランド電極に接続される。更に第二のキャパシタと第二の抵抗素子は、並列接続されて成る第三及び第四のＣＲ直列回路から成り、第三及び第四のＣＲ直列回路は、それぞれ異なるグランド電極に接続される。
【００１７】
かかる構成によれば、ローパスフィルタの抵抗成分の増加により、寄生素子の共振周波数付近での減衰変動を緩和するとともに、寄生素子の共振周波数を高周波側にシフトできるので、高周波領域における擬似線路回路の周波数特性が大幅に改善されるとともに遮断特性が向上し、切れのよい線路特性を得ることができる。
【００１８】
本発明の更に他の側面に係わる擬似線路回路は、π型抵抗減衰器と、π型抵抗減衰器の第一の入出力端子に接続される、第一のキャパシタと第一のインダクタンスとから成る第一のローパスフィルタと、π型抵抗減衰器の第二の入出力端子に接続される、第二のキャパシタと第二のインダクタンスとから成る第二のローパスフィルタと、第一のキャパシタに対して直列に接続される第一の抵抗素子と、第二のキャパシタに対して直列に接続される第二の抵抗素子と、第一のインダクタンスに対して並列に接続される第三の抵抗素子と、第二のインダクタンスに対して並列に接続される第四の抵抗素子と、グランド電極とπ型抵抗減衰器の共通端子との間に接続される第三のキャパシタと、を備える。ここで、第一のキャパシタと第一の抵抗素子は、並列接続されて成る第一及び第二のＣＲ直列回路から成り、第一及び第二のＣＲ直列回路は、それぞれ異なるグランド電極に接続される。第二のキャパシタと第二の抵抗素子は、並列接続されて成る第三及び第四のＣＲ直列回路から成り、第三及び第四のＣＲ直列回路は、それぞれ異なるグランド電極に接続されている。
【００１９】
かかる構成によれば、ローパスフィルタの抵抗成分の増加により、寄生素子の共振周波数付近での減衰変動を緩和するとともに、寄生素子の共振周波数を高周波側にシフトできるので、高周波領域における擬似線路回路の周波数特性が大幅に改善されるとともに、抵抗減衰器の共通端子とグランド電極ＧＮＤとの間に流れる直流電流をカットすることができる。
【００２０】
擬似線路回路は、グランド電極とπ型抵抗減衰器の共通端子との間に接続される第三のインダクタンスを更に備えてもよい。第三のキャパシタと第三のインダクタンスとは直列接続されているものが好適である。
【００２１】
かかる構成によれば、π型抵抗減衰器の共通端子とグランド電極との間に流れる直流電流をカットできるという効果に加えて、遮断特性を鋭くし、遮断周波数から切れ良く信号減衰が始まるように周波数特性を改善できるという効果を併せ持つことができる。
【発明の効果】
【００２２】
本発明によれば、寄生素子の共振周波数付近の減衰変動を緩和し、高周波領域における線路特性を十分に再現できる。
【発明を実施するための最良の形態】
【００２３】
以下、各図を参照しながら本発明に係わる実施例について説明する。同一要素には同一の符号を付すものとし、重複する説明を省略する。
【実施例１】
【００２４】
図１は実施例１に係わる擬似線路回路１０の回路構成を示す。
擬似線路回路１０は、接続ケーブル（例えば、ＨＤＭＩ（High Definition Multimedia Interface）方式に準拠したケーブル）の線路特性（高周波減衰特性）を再現するためのものであり、抵抗減衰器２０と、抵抗減衰器２０の第一の入出力端子Ｔ１に接続されるローパスフィルタ３０と、抵抗減衰器２０の第二の入出力端子Ｔ２に接続されるローパスフィルタ４０と、抵抗減衰器２０の共通端子Ｔ３とグランド電極ＧＮＤとの間に接続されるインダクタンスＬ３とを備える。
【００２５】
抵抗減衰器２０は、信号線ＳＩＧを介して擬似線路回路１０に入力される信号のレベルをその周波数に依存せずに一定の減衰量で減衰しつつ、入出力インピーダンスを一定のまま保持するためのものであり、例えば、π型アッテネータが好適である。抵抗減衰器２０は、抵抗Ｒ１，Ｒ２，Ｒ３によって構成されており、特性インピーダンスをＺ、減衰量をＬ［ｄＢ］とすると、各抵抗値は下式により求めることができる。
【００２６】
Ｒ１＝Ｚ（Ｋ2−１）／２Ｋ
Ｒ２＝Ｒ３＝Ｚ（Ｋ＋１）／（Ｋ−１）
Ｋ＝１０L/20
【００２７】
ローパスフィルタ３０は、上り信号に対する擬似線路回路１０の減衰特性を再現するためのものであり、直列接続されて成るインダクタンスＬ１とキャパシタＣ１とを有する２次のＬＣフィルタとして構成されている。更にインダクタンスＬ１に対して並列に抵抗素子Ｒ３１が接続され、キャパシタＣ１に対して直列に抵抗素子Ｒ３２が接続されている。
【００２８】
ローパスフィルタ４０は、下り信号に対する擬似線路回路１０の減衰特性を再現するためのものであり、直列接続されて成るインダクタンスＬ２とキャパシタＣ２とを有する２次のＬＣフィルタとして構成されている。更にインダクタンスＬ２に対して並列に抵抗素子Ｒ４１が接続され、キャパシタＣ２に対して直列に抵抗素子Ｒ４２が接続されている。
【００２９】
図２は図１に示す擬似線路回路１０内のＣＲ直列回路を二つに分割したときの等価回路を示す。
第一の入出力端子Ｔ１とグランド電極ＧＮＤとの間に接続される、キャパシタＣ１と抵抗素子Ｒ３２とから成るＣＲ直列回路は、第一の入出力端子Ｔ１と第一のグランド電極ＧＮＤ１との間に接続される、キャパシタＣ１１と抵抗素子Ｒ３２１とから成るＣＲ直列回路と、第一の入出力端子Ｔ１と第二のグランド電極ＧＮＤ２との間に接続される、キャパシタＣ１２と抵抗素子Ｒ３２２とから成るＣＲ直列回路とに分割できる。
【００３０】
第二の入出力端子Ｔ２とグランド電極ＧＮＤとの間に接続される、キャパシタＣ２と抵抗素子Ｒ４２とから成るＣＲ直列回路は、第二の入出力端子Ｔ２と第一のグランド電極ＧＮＤ１との間に接続される、キャパシタＣ２１と抵抗素子Ｒ４２１とから成るＣＲ直列回路と、第二の入出力端子Ｔ２と第二のグランド電極ＧＮＤ２との間に接続される、キャパシタＣ２２と抵抗素子Ｒ４２２とから成るＣＲ直列回路とに分割できる。
【００３１】
図３は擬似線路回路１０の外観斜視図を示し、図４は擬似線路回路１０の裏面図を示している。これらの図面に示すように、擬似線路回路１０は、絶縁基板５０の表面に第一のグランド電極ＧＮＤ１、第二のグランド電極ＧＮＤ２、及び信号線ＳＩＧがパターン形成されるとともに、その表面にチップ素子（インダクタンスＬ１，Ｌ２，Ｌ３、キャパシタＣ１１，Ｃ１２，Ｃ２１，Ｃ２２、抵抗素子Ｒ１，Ｒ２，Ｒ３，Ｒ３１，Ｒ３２１，Ｒ３２２，Ｒ４１，Ｒ４２１，Ｒ４２２）が表面実装される構成を有している。絶縁基板５０の裏面には、グランドベタパターンＧＮＤ３が形成されている。第一のグランド電極ＧＮＤ１及び第二のグランド電極ＧＮＤ２のそれぞれは、絶縁基板５０の側面（凹部側面）にも形成されており、グランドベタパターンＧＮＤ３に接続している。第一のグランド電極ＧＮＤ１及び第二のグランド電極ＧＮＤ２は、多点グランドとして機能する。
【００３２】
次に、図５乃至図６を参照しながら第一の比較例に係わる擬似線路回路の線路特性について説明を加える。第一の比較例に係わる擬似線路回路は、図１に示す擬似線路回路１０から抵抗素子Ｒ３１，Ｒ３２，Ｒ４１，Ｒ４２，及びインダクタンスＬ３を省略して成る回路構成を有するものである。
【００３３】
図５乃至図６において、実線グラフは実施例１に係わる擬似線路回路１０の目標特性、即ち、接続ケーブルの減衰特性を示している。点線グラフは、抵抗減衰器２０のみの周波数特性を示している。一点鎖線グラフは、寄生素子の存在を考慮しない場合の第一の比較例に係わる擬似線路回路の周波数特性を示している。二点鎖線グラフは、寄生素子の存在を考慮した場合の第一の比較例に係わる擬似線路回路の周波数特性を示している。
【００３４】
図６に示すように寄生素子の存在を考慮した場合の第一の比較例に係わる擬似線路回路の周波数特性は、５０００ＭＨｚ付近に減衰極を有しており、減衰域から遮断域に至るスカート特性が目標特性から大きく乖離していることが分かる。これは、ローパスフィルタ３０，４０を構成するキャパシタＣ１，Ｃ２と寄生インダクタンスとの共振現象により、５０００ＭＨｚ付近に減衰極が形成されることが原因であると考えられる。
【００３５】
尚、寄生インダクタンス成分には、バラツキが生じやすいので、第一の比較例に係わる擬似線路回路の周波数特性にもバラツキが生じやすくなる。
【００３６】
次に、図７乃至図１４を参照しながら実施例１に係わる擬似線路回路１０の線路特性について説明を加える。
【００３７】
図７乃至図８において、実線グラフは、擬似線路回路１０の目標特性を示している。点線グラフは、実施例１に係わる擬似線路回路１０の周波数特性、即ち、第一の比較例に係わる擬似線路回路のローパスフィルタ３０に対して抵抗素子Ｒ３１、Ｒ３２を接続し、更にローパスフィルタ４０に対して抵抗素子Ｒ４１，Ｒ４２を接続した場合における周波数特性の改善を示している。
【００３８】
ローパスフィルタ３０，４０の減衰傾度は、その次数によって定まるが、図１に示すようにローパスフィルタ３０に対して抵抗素子Ｒ３１、Ｒ３２を接続し、更にローパスフィルタ４０に対して抵抗素子Ｒ４１，Ｒ４２を接続することで、ローパスフィルタ３０，４０の減衰傾度が緩やかになるように調整することができる。これは、ローパスフィルタ３０，４０の抵抗成分を増加させることで、クオリティファクターを小さくし、寄生素子の自己共振をダンピングできるためである。
【００３９】
抵抗素子Ｒ３１，Ｒ３２，Ｒ４１，Ｒ４２の抵抗値として適切な値を選択すると、寄生素子の共振周波数付近の減衰変動を緩和することができ、例えば、図７乃至図８に示すように、減衰極を実質的に消滅させることもできる。この結果、減衰域から遮断域に至る擬似線路回路１０のスカート特性は、略一定の減衰傾度で傾斜するようになるので、特に高周波領域における擬似線路回路１０の周波数特性が大きく改善されることとなる。
【００４０】
図９乃至図１０において、実線グラフは、擬似線路回路１０の目標特性を示している。点線グラフは、図１に示す擬似線路回路１０の周波数特性、即ち、第一の比較例に係わる擬似線路回路のローパスフィルタ３０に対して抵抗素子Ｒ３１、Ｒ３２を接続し、更にローパスフィルタ４０に対して抵抗素子Ｒ４１，Ｒ４２を接続し、更に共通端子Ｔ３とグランド電極ＧＮＤとの間にインダクタンスＬ３を接続した場合における周波数特性の改善を示している。
【００４１】
上述の如く、ローパスフィルタ３０，４０の抵抗成分を増加させることで、寄生素子の共振現象による高周波領域における擬似線路回路１０の周波数特性の劣化を改善できるが、その一方で、減衰傾度が緩やかになるために、遮断特性の低下、即ち、ローパスフィルタ３０，４０の遮断周波数より低い周波数付近からの信号減衰が始まる場合がある。
【００４２】
図９乃至図１０に示すように、共通端子Ｔ３とグランド電極ＧＮＤとの間にインダクタンスＬ３を接続することにより、擬似線路回路１０の遮断特性を鋭くし、遮断周波数から切れ良く信号減衰が始まるように周波数特性を改善できる。
【００４３】
図１１乃至図１２において、実線グラフは擬似線路回路１０の目標特性を示している。点線グラフは、図１に示す擬似線路回路１０から抵抗素子Ｒ３１，Ｒ３２，Ｒ４１，Ｒ４２を省略し、それぞれのキャパシタＣ１，Ｃ２を図２に示すように二つに分割して成る回路構成を有する第二の比較例に係わる擬似線路回路の線路特性を示している。一点鎖線グラフは、図１に示す擬似線路回路１０から抵抗素子Ｒ３１，Ｒ３２，Ｒ４１，Ｒ４２を省略し、それぞれのキャパシタＣ１，Ｃ２を分割しない回路構成を有する第三の比較例に係わる擬似線路回路の線路特性を示している。
【００４４】
寄生素子の共振周波数が低周波側に存在する場合には、目標とする帯域内において、目標特性よりも大きく信号を減衰させてしまうこととなる。ここで、図１１乃至図１２に示すように、キャパシタＣ１，Ｃ２を分割する場合と、キャパシタＣ１，Ｃ２を分割しない場合とを比較すると、前者の方が後者よりも寄生素子を分散できるため、寄生素子のリアクタンス成分を小さくすることが可能となり、寄生素子の共振周波数を高周波側にシフトさせることができる。寄生素子の共振周波数を高周波側にシフトさせることができれば、目標とする帯域内における減衰特性の劣化を低減することができる。
【００４５】
図１３乃至図１４において、実線グラフは擬似線路回路１０の目標特性を示している。点線グラフは、図２に示す擬似線路回路１０の線路特性を示している。一点鎖線グラフは図１に示す擬似線路回路１０の線路特性を示している。
【００４６】
キャパシタＣ１，Ｃ２を分割していない場合、即ち、図１に示す擬似線路回路１０の寄生素子の共振周波数は、低周波側に位置しているのに対し、キャパシタＣ１，Ｃ２を分割した場合、即ち、図２に示す擬似線路回路１０の寄生素子の共振周波数は、高周波側に位置している。何れの場合にも、ローパスフィルタ３０，４０には、抵抗素子Ｒ３１、Ｒ３２，Ｒ４１，Ｒ４１が付加されているので、寄生素子の自己共振がダンピングされることにより、寄生素子の共振周波数付近での減衰変動が緩和され、減衰極が実質的に消滅するので、擬似線路回路１０の線路特性は改善されている。
【００４７】
しかし、寄生インダクタンス成分のバラツキは大きいので、キャパシタＣ１，Ｃ２を分割する場合に比べて、キャパシタＣ１，Ｃ２を分割しない場合の方が寄生インダクタンス成分のバラツキの影響を受けやすく、高周波領域における線路特性が劣化し易い。このため、低周波側に減衰極が形成されている場合よりも、高周波側に減衰極が形成されている場合の方が、目標とする帯域内における線路特性の劣化が少ないので、図２に示すようにキャパシタＣ１，Ｃ２を分割することにより、線路特性の劣化を低減できる。
【００４８】
尚、擬似線路回路１０内のＣＲ直列回路は、３以上に分割してもよい。３以上に分割することで、寄生素子をより多く分散できるので、寄生素子の共振周波数をより高周波側にシフトさせることができる。
【実施例２】
【００４９】
図１５は実施例２に係わる擬似線路回路６０の回路構成を示し、図１６は擬似線路回路６０内のＣＲ直列回路を二つに分割したときの等価回路を示す。
説明の便宜上、実施例１と実施例２との相違点を中心に説明するものとし、両者の共通点については説明を省略する。擬似線路回路６０は、抵抗減衰器２０の共通端子Ｔ３とグランド電極ＧＮＤとの間にキャパシタＣ３が接続されている点において、上述の擬似線路回路１０とは異なる。
【００５０】
第一の入出力端子Ｔ１又は第二の入出力端子Ｔ２に入出力される映像信号には、直流成分（ＤＣバイアス）が含まれているものがある。上述の擬似線路回路１０では、抵抗減衰器２０の共通端子Ｔ３とグランド電極ＧＮＤとの間にインダクタンスＬ３が接続されているので、映像信号に直流成分が含まれていると、信号線ＳＩＧとグランド電極ＧＮＤとの間に直流電流が常時流れる。映像信号受信機器には、信号線ＳＩＧとグランド電極ＧＮＤとの間に所定値以上の直流電流が流れていることを検出すると、信号線ＳＩＧに短絡が生じているものと判定し、回路を遮断するための保護回路が実装されているものがある。そのため、信号線ＳＩＧとグランド電極ＧＮＤとの間に直流電流が常時流れ続けると、保護回路が動作することにより、回路が遮断され、映像信号受信機器において映像信号を受信することができなくなるという不都合が生じる。更に、信号線ＳＩＧとグランド電極ＧＮＤとの間に直流電流が常時流れ続けると、消費電力の増大を招いてしまう。
【００５１】
これに対し、擬似線路回路６０では、抵抗減衰器２０の共通端子Ｔ３とグランド電極ＧＮＤとの間にキャパシタＣ３が接続されているので、第一の入出力端子Ｔ１又は第二の入出力端子Ｔ２に入出力される映像信号に直流成分が含まれていたとしても、その直流成分をカットすることができる。これにより保護回路の動作による回路遮断を回避し、映像信号の安定した受信動作を可能にできる上に、消費電力の低減をも可能にできる。
【００５２】
図１７は擬似線路回路６０の線路特性を示している。
同図では、キャパシタＣ３の容量値がそれぞれ１０ｎＦ、１．０ｎＦ、０．１ｎＦであるときの線路特性を実線、一点鎖線、二点鎖線により示している。擬似線路回路６０にキャパシタＣ３を挿入することで、低周波側の線路特性が若干劣化するものの、映像信号の基本帯域のおよそ１／１０程度の帯域よりも高い周波数帯域において線路特性が十分に再現できれば、実用上の不都合は生じないものと考えられる。例えば、映像信号の基本帯域が１ＧＨｚである場合、１００ＭＨｚ以上の周波数帯域において十分な線路特性を再現するには、ある程度の余裕を見込んでキャパシタＣ３の容量値を１．０ｎＦ以上に設定することが望ましい。
【実施例３】
【００５３】
図１８は実施例３に係わる擬似線路回路７０の回路構成を示し、図１９は擬似線路回路７０内のＣＲ直列回路を二つに分割したときの等価回路を示す。
説明の便宜上、実施例２と実施例３との相違点を中心に説明するものとし、両者の共通点については説明を省略する。擬似線路回路７０は、抵抗減衰器２０の共通端子Ｔ３とグランド電極ＧＮＤとの間にキャパシタＣ３とインダクタンスＬ３とが直列接続されている点において、上述の擬似線路回路６０とは異なる。
【００５４】
擬似線路回路７０によれば、共通端子Ｔ３とグランド電極ＧＮＤとの間に流れる直流電流をカットできるという効果に加えて、遮断特性を鋭くし、遮断周波数から切れ良く信号減衰が始まるように周波数特性を改善できるという効果を併せ持つことができる。
【図面の簡単な説明】
【００５５】
【図１】実施例１に係わる擬似線路回路の回路構成図である。
【図２】図１に示す擬似線路回路内のＣＲ直列回路を二つに分割したときの等価回路図である。
【図３】実施例１に係わる擬似線路回路の外観斜視図である。
【図４】実施例１に係わる擬似線路回路の裏面図である。
【図５】第一の比較例に係わる擬似線路回路の線路特性を示すグラフである。
【図６】第一の比較例に係わる擬似線路回路の線路特性を示すグラフである。
【図７】実施例１に係わる擬似線路回路の線路特性を示すグラフである。
【図８】実施例１に係わる擬似線路回路の線路特性を示すグラフである。
【図９】実施例１に係わる擬似線路回路の線路特性を示すグラフである。
【図１０】実施例１に係わる擬似線路回路の線路特性を示すグラフである。
【図１１】第二及び第三の比較例に係わる擬似線路回路の線路特性を示すグラフである。
【図１２】第二及び第三の比較例に係わる擬似線路回路の線路特性を示すグラフである。
【図１３】実施例１に係わる擬似線路回路の線路特性を示すグラフである。
【図１４】実施例１に係わる擬似線路回路の線路特性を示すグラフである。
【図１５】実施例２に係わる擬似線路回路の回路構成図である。
【図１６】図１５に示す擬似線路回路内のＣＲ直列回路を二つに分割したときの等価回路図である。
【図１７】実施例２に係わる擬似線路回路の線路特性を示すグラフである。
【図１８】実施例３に係わる擬似線路回路の回路構成図である。
【図１９】図１８に示す擬似線路回路内のＣＲ直列回路を二つに分割したときの等価回路図である。
【符号の説明】
【００５６】
１０…擬似線路回路
２０…抵抗減衰器
３０，４０…ローパスフィルタ
５０…絶縁基板
Ｌ１，Ｌ２，Ｌ３…インダクタンス
Ｃ１，Ｃ２，Ｃ３，Ｃ１１，Ｃ１２，Ｃ２１，Ｃ２２…キャパシタ
Ｒ１，Ｒ２，Ｒ３，Ｒ３１，Ｒ３２，Ｒ４１，Ｒ４２，Ｒ３２１，Ｒ３２２，Ｒ４２１，Ｒ４２２…抵抗素子
ＧＮＤ，ＧＮＤ１，ＧＮＤ２…グランド電極
ＧＮＤ３…グランドベタパターン
【図１】
2008136158.tif 000003
【図２】
2008136158.tif 000004
【図３】
2008136158.tif 000005
【図４】
2008136158.tif 000006
【図５】
2008136158.tif 000007
【図６】
2008136158.tif 000008
【図７】
2008136158.tif 000009
【図８】
2008136158.tif 000010
【図９】
2008136158.tif 000011
【図１０】
2008136158.tif 000012
【図１１】
2008136158.tif 000013
【図１２】
2008136158.tif 000014
【図１３】
2008136158.tif 000015
【図１４】
2008136158.tif 000016
【図１５】
2008136158.tif 000017
【図１６】
2008136158.tif 000018
【図１７】
2008136158.tif 000019
【図１８】
2008136158.tif 000020
【図１９】
2008136158.tif 000021